(57)【要約】【課題】外装布を取り替えるだけで何度でもカット練習をすることができ、また、足先部を取り替えるだけで何度でも爪切り練習をすることができるトリミング練習具を提供する。【解決手段】動物の形態を模した型本体２と、動物の毛または人工の毛が植毛された外装布３とを備え、外装布３は、型本体２の外面に着脱可能に設けられている。また、外装布３は、２以上の部分に分割されていてもよく、型本体２は、２以上の部分に分割されていてもよい。さらに、型本体２は、屈曲可能に形成された四肢を備え、この四肢の先端部には、模擬血液が充填された爪６が設けられた足先部５が着脱可能に備えられている。【選択図】  図１
2006343507.tif 000002
【特許請求の範囲】
【請求項１】
動物の形態を模した型本体と、動物の毛または人工の毛が植毛された外装布とを備え、
前記外装布は、型本体の外面に着脱可能に設けられていることを特徴とするトリミング練習具。
【請求項２】
前記外装布は、２以上の部分に分割されていることを特徴とする請求項１記載のトリミング練習具。
【請求項３】
前記型本体は、２以上の部分に分割可能に形成された胴部を備えていることを特徴とする請求項１または２記載のトリミング練習具。
【請求項４】
前記型本体は、屈曲可能に形成された四肢を備えていることを特徴とする請求項１ないし３のいずれか記載のトリミング練習具。
【請求項５】
前記型本体は、四肢の先端部に着脱可能に形成された足先部を備え、この足先部に、模擬血液が充填された爪が設けられていることを特徴とする請求項１ないし４のいずれか記載のトリミング練習具。
【発明の詳細な説明】
【技術分野】
【０００１】
本発明は、動物の毛のカット技術や爪の手入れ技術を向上させるために用いられるトリミング練習具に関する。
【背景技術】
【０００２】
従来から、トリマーやトリミングの練習生等がトリミング技術向上のための練習をする場合の教材として実物の犬を用いることが多く、まれにペットショップ等で売られている犬型の縫いぐるみを使用しているのが実情であった。
【０００３】
しかし、実物の犬を使用した場合は、使用料が高価となり、一度カットすれば、再び伸びるまでに時間がかかるといった欠点がある。また、犬型の縫いぐるみを使用した場合は、単に所望の長さにカットできるにとどまり、高度なトリミング技術の習得には不適当である。
【０００４】
このような問題に鑑みて、生体に近似させたドッグウイッグが提案されている（例えば、特許文献１、特許文献２、特許文献３参照。）。
【０００５】
これらのドッグウイッグは、犬型本体の外面部に毛を植毛して、実物の犬に近似した外観、感触に形成したものである。
【特許文献１】特開２００５−３１６０３号公報
【特許文献２】実用新案登録第３０９４９６４号公報
【特許文献３】実用新案登録第３０９６４３４号公報
【発明の開示】
【発明が解決しようとする課題】
【０００６】
しかしながら、上記した特許文献１ないし３に記載したドッグウイッグでは、犬型本体の外面部と一体的に毛が植毛されているので、このドッグウイッグを用いた場合、１回カットすれば、植毛された毛が短く刈り取られてしまうので、再びこのドッグウィッグを用いてカット練習することができない。したがって、１回の練習ごとにドッグウイッグを用意する必要があり、練習に要する費用が高価になってしまう。
【０００７】
ところで、動物は、毛が伸びるほかに、爪も伸びるので、トリマーは、毛のカットだけではなく、爪切りも行って、身体全体の手入れをすることが望まれる。このため、動物の毛をカットするだけではなく、爪切りも同時に練習できる練習具があれば好適なトリミング練習ができるが、上記した従来のドッグウイッグでは、爪切り練習をすることはできない。また、実物の犬を用いて爪切り練習を行ったのでは、一度爪を切った後は、再び伸びるまでに時間がかかってしまう。さらに、深く爪を切りすぎたり、肉を傷付けてしまうと、損害が発生することにもなりかねないといった問題がある。
【０００８】
本発明は、このような事情に鑑み創案されたもので、外装布を取り替えるだけで何度でもカット練習をすることができ、また、足先部を取り替えるだけで何度でも爪切り練習をすることができるトリミング練習具を提供するものである。
【課題を解決するための手段】
【０００９】
上記の目的を達成するため、本発明に係るトリミング練習具は、動物の形態を模した型本体と、動物の毛または人工の毛が植毛された外装布とを備え、前記外装布は、型本体の外面に着脱可能に設けられていることを特徴とする。
【００１０】
この発明によれば、型本体の外面に動物の毛または人工の毛が植毛されている外装布が着脱可能に設けられているので、外装布の毛をカットした後であっても、新たな外装布に取り替えることにより、一つの型本体を用いて何度でもカット練習をすることができる。したがって、手軽、かつ安価にカット練習をすることができる。
【００１１】
本発明は、上記構成のトリミング練習具において、前記外装布は、２以上の部分に分割されていることを特徴とする。
【００１２】
この発明によれば、分割された外装布の各部分を、個々に型本体に装着することができるので、外装布の取り替えが容易になる。
【００１３】
本発明は、上記構成のトリミング練習具において、前記型本体は、２以上の部分に分割可能に形成された胴部を備えていることを特徴とする。
【００１４】
この発明によれば、分割された胴部を所望の位置に動かして外装布を取り替えることができる。したがって、外装布の取り替えが容易である。
【００１５】
本発明は、上記構成のトリミング練習具において、前記型本体は、屈曲可能に形成された四肢を備えていることを特徴とする。
【００１６】
この発明によれば、四肢を屈曲させながら外装布を取り替えることができる。したがって、外装布の取替えが容易である。さらに、四肢を屈曲させることにより、トリミング練習具を所望の姿勢に設置してカット練習をすることができる。
【００１７】
本発明は、上記構成のトリミング練習具において、前記型本体は、四肢の先端部に着脱可能に形成された足先部を備え、この足先部に、模擬血液が充填された爪が設けられていることを特徴とする。
【００１８】
この発明によれば、爪が設けられた足先部が着脱可能に構成されているので、爪切りの練習をした後、足先部を取り替えて、再度爪切り練習をすることができる。したがって、足先部を取り替えることにより、一つの型本体を用いて何度でも爪切り練習をすることができ、手軽で経済的である。
【００１９】
また、爪に模擬血液が充填されているので、この模擬血液が充填された箇所までカットすると、内部の模擬血液が流出するため、練習者が爪を深く切りすぎたことを認識することができる。したがって、実際に爪を切るときと同様の緊張感を持って、効果的な爪切り練習をすることが可能になる。
【発明の効果】
【００２０】
本発明によれば、外装布を取り替えるだけで何度でもカット練習をすることができ、また、足先部を取り替えるだけで何度でも爪切り練習をすることができ、手軽で経済的にトリミング練習をすることが可能になるといった効果を奏する。
【発明を実施するための最良の形態】
【００２１】
以下、本発明の実施の形態について、図面を参照して説明する。
＜実施形態１＞
図１には、本発明の実施形態１に係るトリミング練習具１の外観が、その一部を破断して示されている。
【００２２】
このトリミング練習具１は、犬の形態を模した型本体２と、この型本体２の外面に着脱可能に設けられる外装布３とを備えている。
【００２３】
型本体２は、ボディ部４と、このボディ部４に着脱可能に取り付けられる足先部５とからなっている。
【００２４】
ボディ部４は、金属製の芯部材４０に発泡素材で肉付けされたものである。
【００２５】
芯部材４０は、図２に示すように、中空の箱型の胴芯部４１に、針金で形成された頭芯部４２および四肢芯部４３が取り付けられたものである。
【００２６】
胴芯部４１は、相当の重量を有するように形成されており、トリミング練習具１の転倒を防止して、練習者が練習し易いように図られている。
【００２７】
頭芯部４２は、二重にした針金で、頭部から首部が湾曲するように形成されており、首部の先端が胴芯部４１に固着されている。
【００２８】
四肢芯部４３は、２本の前足芯部４３ａと、２本の後ろ足芯部４３ｂとからなっている。
【００２９】
前足芯部４３ａは、足の付け根から一定間隔をおいた位置から先端部にかけて金属性のパイプ４４で被覆されている。したがって、足の付け根近傍のパイプ４４からの露出部分は、屈曲可能とされている。一方、先端部にかけてパイプ４４で被覆することによりボディ部４を支持しうるように補強されている。
【００３０】
また、前足芯部４３ａの先端には、後述する足先部５と接続するためのジョイント部４５が設けられている。このジョイント部４５には、足先部５の嵌め込み部５２のネジと螺合する螺子溝が設けられている。
【００３１】
後ろ足芯部４３ｂは、足の付け根から一定間隔をおいた位置から後ろ足の中間位置、およびこの後ろ足の中間部から一定間隔をおいた位置から先端部にかけて、２本の金属性のパイプ４８ａ，４８ｂで被覆されている。したがって、足の付け根近傍のパイプ４８ａからの露出部分、および２本のパイプ４８ａ，４８ｂの間の部分は、屈曲可能とされている。一方、これらのパイプ４８ａ，４８ｂで被覆することによりボディ部４を支持しうるように補強されている。
【００３２】
また、後ろ足芯部４３ｂの先端には、後述する足先部５と接続するためのジョイント部４５が設けられている。このジョイント部４５には、足先部５の嵌め込み部５２のネジと螺合する螺子溝が設けられている。
【００３３】
このように形成された芯部材４０の周囲が、発泡素材で肉付けされている。
【００３４】
なお、犬種に応じて、針金製の尾芯部に発泡素材で肉付けした尾部７をボディ部４に設け、実物の犬の形態に近似させてもよい。
【００３５】
足先部５は、ボディ部４の四肢の先端部に取り付けられ、金属製の足先芯部５１に発泡素材で肉付けされたものである（図３参照）。この足先部５は、先端に樹脂製の爪６（図４参照）が設けられており、基端にボディ部４のジョイント部４５に接続する嵌め込み部５２が設けられている。嵌め込み部５２は、ジョイント部４５の螺子溝に螺合するネジ５３で形成されており、ジョイント部４５の螺子溝に螺合することにより、足先部５をボディ部４に接続するようになされている。
【００３６】
爪６の内部には、空洞が設けられ、この空洞に模擬血液Ａが充填されている。模擬血液Ａは、例えば赤インクなどの赤色の液体で構成されている。また、爪６は、研ぐことができる程度の硬さに形成し、爪研ぎ練習もできるようにすることが好ましい。
【００３７】
外装布３は、型本体２の外面に沿うように縫製された布地に、動物の毛または人工の毛が植毛されたものである。この外装布３には、毛皮のほか、毛の代用となる化学繊維が用いられる。また、外装布３は、足先部５の先端部が露出するように形成されている。
【００３８】
本実施の形態では、外装布３のうち、犬の胸に対応する部分が開口されており、この開口部から型本体２に装着または取り外すことができるように図られている。また、この開口部近傍の外装布には、互いに係合する面ファスナーが取り付けられ、開口部が開閉自在となるように構成されている。
【００３９】
なお、外装布３を伸縮性のある布地で形成すると、型本体２にフィットするとともに、型本体２への装着または取り外しが容易になるので好ましい。
【００４０】
また、外装布３は、あらかじめ型本体２へ装着しうる形状に縫製して１つの部材に構成したものに限定されるものではなく、例えば、外装布３を２つ以上のパーツに分けた２枚以上の布地で構成して型本体２に装着してもよい。この場合、型本体２に面ファスナーを取り付けるとともに、外装布３にこの面ファスナーと係合する面ファスナーを取り付けて、型本体３の外面に外装布３が着脱可能に装着されるようにする。
【００４１】
次に、上記構成のトリミング練習具１の使用方法について説明する。
【００４２】
流通過程では、１つの型本体２と、２枚程度の外装布３、２個程度の足先部５を１パッケージにして、市場に提供される。
【００４３】
このトリミング練習具１を購入した使用者は、まず、型本体２に外装布３を装着する。この際、型本体２の四肢を屈曲させると容易に装着することができる。
【００４４】
次いで、四肢を所望の角度に調節してトリミング練習具１を机の上などに安定するように載置し、外装布３の毛をカットしたり、足先部５の爪６を切ることにより、トリミング練習を行う。
【００４５】
外装布３の毛をカットした後は、外装布３を取り外し、未使用の外装布３を装着すれば、再びカット練習をすることができる。
【００４６】
また、爪切り練習をした後は、足先部５をボディ部４のジョイント部４５から抜いて取り外し、未使用の足先部５をジョイント部４５に取り付ければ、再び爪切り練習をすることができる。
＜実施形態２＞
次に、本発明の実施形態２について説明する。
【００４７】
この実施形態に係るトリミング練習具１は、上記した実施形態１に係るトリミング練習具１において、型本体２のうち、犬の胴部に相当する部分が２つに分割可能に形成されたものである。その他の形態は、上記した実施形態１と同様であるため、異なる部分についてのみ詳細に説明し、同じ部分についての説明は省略する。
【００４８】
胴芯部４１は、図５に示すように、鉛直断面を境界として２つの部分、すなわち第１胴芯部４１ａ，第２胴芯部４１ｂに分割されている。この第１胴芯部４１ａと第２胴芯部４１ｂとは、ヒンジＨを介して連結されており、胴芯部４１が分離することなく、外装布３を容易に装着・取り外しできるように図られている。
【００４９】
このように形成された胴芯部４１を備えた芯部材４０の周囲が発泡素材で肉付けされ、型本体２が形成されている（図６参照）。
【００５０】
また、型本体２のボディ部４は、第１胴芯部４１ａと第２胴芯部４１ｂとの境界から図６に示すように、第１胴部４ａと第２胴部４ｂとに分割されている。また、第１胴芯部４１ａと第２胴芯部４１ｂとが合わされる箇所には、それぞれ互いに係合する面ファスナーＦが取り付けられており、係合可能になされている。
【００５１】
なお、本実施の形態では、ボディ部４が２つに分割されているが、３つ以上に分割されていてもよい。また、ヒンジＨを介して連結したものに限定されるものではなく、図７に示すように、第１胴芯部４１ａと第２胴芯部４１ｂ、および第１胴部４ａと第２胴部４ｂとがそれぞれ分離したものであってもよい。
【００５２】
上記構成のトリミング練習具１の使用方法については、外装布３の装着・取り外す場合のみが第１実施形態と異なっている。
【００５３】
すなわち、第１胴部４ａと第２胴部４ｂとを適宜動かすことにより、外装布３が型本体２に装着し易いようにして、装着または取り外すことができる。
【００５４】
以上、本発明の実施の形態について、犬の形態を模したトリミング練習具１について説明したが、本発明のトリミング練習具１は、犬の形態に限定されるものではなく、例えば、猫やうさぎの形態に係るものであってもよい。
【産業上の利用可能性】
【００５５】
本発明は、外装布を取り替えるだけで何度でもカット練習をすることができ、また、足先部を取り替えるだけで何度でも爪切り練習をすることができるトリミング練習具に適用できる。
【図面の簡単な説明】
【００５６】
【図１】本発明に係るトリミング練習具の外観を一部を破断して示す概略図である。
【図２】本発明に係るトリミング練習具の芯部材を示す斜視図である。
【図３】本発明に係るトリミング練習具の足先部を示す斜視図である。
【図４】本発明に係るトリミング練習具の爪の側面を示す概略図である。
【図５】本発明に係るトリミング練習具の芯部材の他の例を示す斜視図である。
【図６】図５の芯部材を用いた型本体を示す概略図である。
【図７】本発明に係るトリミング練習具の型本体のその他の例を示す概略図である。
【符号の説明】
【００５７】
１  トリミング練習具
２  型本体
３  外装布
４  ボディ部
５  足先部
６  爪
Ａ  赤インク（模擬血液）
【図１】
2006343507.tif 000003
【図２】
2006343507.tif 000004
【図３】
2006343507.tif 000005
【図４】
2006343507.tif 000006
【図５】
2006343507.tif 000007
【図６】
2006343507.tif 000008
【図７】
2006343507.tif 000009